(57)【要約】【課題】排泄物の異臭発生を防止するとともに、排泄物の処理、飲料水の補給を容易にして可搬性に富んだペット用ケージを得る。【解決手段】ケージ本体（２）の下部に多孔製の底板（３）と、水が収容可能なトレイ（６）とを上下に配置して設け、前記トレイ（６）の底部に排水口（７）及び該排水口（７）を開閉する排水栓（８）を設け、前記トレイ（６）の直下方に偏平な汚水タンク（１５）を横向きにして着脱可能に設けるとともに、該汚水タンク（１５）を前記トレイ（６）の排水口（７）に着脱可能に接続し、前記ケージ本体（２）の外側部に偏平な給水タンク（３５）を縦向きにして着脱可能に設け、該給水タンク（３５）に、ケージ本体（２）内に収容した水入れ（４３）に給水するバルブ（４２）付きの給水管（４１）を設ける。【選択図】　　　　図１
2004033071.tif 000002
【特許請求の範囲】
【請求項１】
ペットを収容するケージ本体（２）の下部に多孔製の底板（３）と、水が収容可能なトレイ（６）とを上下に配置して設け、前記トレイ（６）の底部に排水口（７）及び該排水口（７）を開閉する排水栓（８）を設け、前記トレイ（６）の直下方に偏平な汚水タンク（１５）を横向きにして着脱可能に設けるとともに、該汚水タンク（１５）を前記トレイ（６）の排水口（７）に着脱可能に接続し、前記ケージ本体（２）の外側部に偏平な給水タンク（３５）を縦向きにして着脱可能に設け、該給水タンク（３５）に、ケージ本体（２）内に収容した水入れ（４３）に給水するバルブ（４２）付きの給水管（４１）を設けたことを特徴とするペット用ケージ。
【請求項２】
汚水タンク（１５）及び給水タンク（３５）は共に略同形状に形成するとともに、それぞれトレイ（６）の排水口（７）に着脱可能に接続される受け口（１６，３６）と、給水管（４１）に着脱可能に接続される給水口（１７，３７）とを設けてなることを特徴とする請求項１記載のペット用ケージ。
【請求項３】
トレイ（６）の排水口（７）に着脱可能に接続される管継手（２０）を設け、該管継手（２０）は環状主体（２０ａ）の軸心部の上部にトレイ（６）の排水口（７）の外周に螺合する雌ねじ（２０ｂ）を、該環状主体（２０ａ）の軸心部の下部に排水管継手（２３）が螺合する第１雄ねじ（２０ｃ）をそれぞれ設け、前記環状主体（２０ａ）の外周部に汚水タンク（１５）の受け口嵌合用のソケット（２１）が螺合する第２雄ねじ（２０ｄ）を設けたことを特徴とする請求項１又は２記載のペット用ケージ。
【発明の詳細な説明】
【０００１】
【発明の属する技術分野】
本発明は、小動物あるいは小鳥等のペットを収容するペット用ケージに関し、特に可搬性に富んだペット用ケージに関するものである。
【０００２】
【従来の技術】
従来のペット用ケージとして、特開平９−３２２６７０号公報に記載されたものがあった。即ち、箱形ケージ本体の前側開口部に扉を開閉自在に設け、ケージ本体内の両側下部に多孔性の床板を上記扉の下方開口から抜き差し可能に支持する左右一対の床板案内レールを上下２段に設け、その案内レールの下方に上記扉の下方開口からトレイを抜き差し可能に支持する左右一対のトレイ案内レールを設けるようにしたものがあった。
【０００３】
【発明が解決しようとする課題】
上記従来のものは、ペットの排泄物を直接トレイで受けるようにしていたので、トレイに溜まった排泄物の臭いが周囲に放たれ、不衛生になるとともに、乗用車等での運搬に適さないものであった。また、これの対策としてトレイ内に砂、脱臭剤等を収容して該トレイ内の排泄物の臭を消臭するようにしたものもあったが、このものは砂を洗浄したり、消臭材を調達する等、手数及び経費が嵩むものであった。本発明は上記不具合を解消した新規なペット用ケージを得ることを目的とする。
【０００４】
【課題を解決するための手段】
本発明は、上記目的を達成するために以下の如く構成したものである。即ち、請求項１に係る発明は、ペットを収容するケージ本体の下部に多孔製の底板と、水が収容可能なトレイとを上下に配置して設け、前記トレイの底部に排水口及び該排水口を開閉する排水栓を設け、前記トレイの直下方に汚水タンクを横向きにして着脱可能に設けるとともに、該汚水タンクを前記トレイの排水口に着脱可能に接続し、前記ケージ本体の外側部に給水タンクを縦向きにして着脱可能に設け、該給水タンクに、ケージ本体内に収容した水入れに給水するバルブ付きの給水管を設ける構成にしたものである。
また、請求項２に係る発明は、前記汚水タンク及び給水タンクは共に略同形状に形成するとともに、それぞれトレイの排水口に着脱可能に接続される受け口と、給水管に着脱可能に接続される給水口とを設けるようにしたものである。
また、請求項３に係る発明は、前記トレイの排水口に着脱可能に接続される管継手を設け、該管継手は環状主体の軸心部の上部にトレイの排水口の外周に螺合する雌ねじを、該環状主体の軸心部の下部に排水管継手が螺合する第１雄ねじをそれぞれ設け、前記環状主体の外周部に汚水タンクの受け口嵌合用のソケットが螺合する第２雄ねじを設けるようにしたものである。
【０００５】
【発明の実施の形態】
以下本発明の実施の形態を図面に基いて説明する。図面において、図１は本発明の実施例を示す一部断面側面図、図２は扉の下開き状態を示す部分断面側面図、図３は扉の上開き状態を示す部分断面側面図、図４はトレイと汚水タンクとの接続状態を示す要部拡大断面図、図５はトレイと排水管との接続状態を示す要部拡大断面図、図６は給水タンクの一部断面側面図、図７は図４の一部断面左側面図である。
【０００６】
図１において、１はペット用ケージであり、ケージ本体２、トレイ６、汚水タンク１５、及び給水タンク３５を主要部品として構成される。上記ケージ本体２は格子状の金網により下面が開口した直方体状に組付けられてトレイ６に嵌合支持され、その下面はトレイ６に抜き差し可能に支持される金網製の底板３により閉塞される。
【０００７】
上記ケージ本体２の正面側（図１において左面）にはペットが出入りする金網製の扉４を取付ける。この扉４はケージ本体２の上部桟２ａ又は下部桟２ｂを中心として開閉可能に取付けられている。即ち、図２、図３に示すように、扉４の上部桟４ｃに下向きの上部フック４ａを水平軸心を中心として回動可能に取付け、該扉４の下端部に下向きの下部フック４ｂを固定し、各上下フック４ａ，４ｂはその先端部（下端部）を内方に湾曲させて開口量を縮小しておく。
【０００８】
上記上部フック４ａはケージ本体２の正面側の上部桟２ａに上方から着脱可能に嵌合させ、また、下部フック４ｂは上記ケージ本体２の正面側の下部桟２ｂに上方から着脱可能に嵌合させる。そして、扉４を下向きに開く際には、図２に示すように、該扉４を所定量上方（矢印Ａ方向）に移動させて上部フック４ａをケージ本体２の上部桟２ａから離脱させ、この状態でケージ本体２の下部桟２ｂを中心として前方（矢印Ｂ方向）に回動させ、その上端（回動端）を床面に当接（又は接近）させる。これにより、上記扉４をケージ本体２に対して所定角度で下向きに傾斜させてペットがケージ本体２から出入りする際の梯子の機能を持たせる。
【０００９】
また、上記扉４を上向きに開く際には、図３に示すように、上部フック４ａがケージ本体２の上部桟２ａを中心として矢印Ｃ方向に回動する如く、扉４を上方に移動させて下部フック４ｂをケージ本体２の下部桟２ｂから離脱させ、この状態で扉４全体をケージ本体２の上部桟２ａを中心として上方（矢印Ｄ方向）に回動させ、該扉４をケージ本体２の天板の上に重ねる。
【００１０】
図１において、２５は上記トレイ６を持ち上げ支持する脚であり、格子状の金網により上面及び正面が開口した浅い箱状に形成し、上縁部に取り付けた複数のフック（図示省略）によりケージ本体２の下部に係脱可能に連結する。上記トレイ６はプラスチックあるいは板金材により上部が段状に拡開する長方形または正方形の段付き容器状に形成し、上縁部のフランジ部６ａを外向きに反転屈曲させ、このフランジ部６ａを上記脚２５の上縁に嵌合させることにより、該脚２５でトレイ６を持ち上げ支持する。また、上記トレイ６の上段側の内周にケージ本体２を嵌合させてこれを支持する。
【００１１】
上記トレイ６の底部の中心部に排水口７を形成し、該排水口７を排水栓８によって開閉する。この排水栓８は、図１に示すように、外側からケージ本体２内に挿通した操作杆９を操作することによって外部から開閉できるようにする。そして、トレイ６内に排泄物受け用の水を貯留する際には、上記排水栓８で排水口７を閉じる。また、トレイ６内の貯留水を排出したり、あるいはトレイ６内を洗浄したりする際には、上記操作杆９で排水栓８を開操作し、トレイ６内の水を排出口７から排出させる。また、上記トレイ６の上段側の正面壁に左右方向に細長い差込み口１０を形成し、該差込み口１０から前述した底板３を抜き差し可能に差込む。また、この差込み口１０が形成された正面壁の上縁（フランジ部６ａ）を下方に凹ませ、扉４が前方に回動するのを許容する逃げ部を形成する。
【００１２】
上記脚２５の下部空間部にその正面側から汚水タンク１５を収容する。この汚水タンク１５はプラスチックにより偏平な直方体状に形成するとともに、その上面に受け口１６を、その側部（図１において左部）に給水口１７を形成する。上記受け口１６及び給水口１７は内周に雌ねじを形成しておき、不使用時には栓３８，３９をねじ込んで塞ぐようにする（図１、図６、図７）。上記受け口１６は上記脚２５の下部空間部に収容した際に、トレイ６の排出口７と対応する箇所に形成され、管継手２０を介して該排出口７に着脱可能に連結される。２６は脚２５内に設けた汚水タンク１５位置決め用のストッパーである。
【００１３】
上記管継手２０は、図４、図５に示すようになっている。即ち、環状主体２０ａの軸心部の上部に雌ねじ２０ｂを、該環状主体２０ａの軸心部の下部に小径の第１雄ねじ２０ｃをそれぞれ形成し、また上記環状主体２０ａの外周部に大径の第２雄ねじ２０ｄを形成する。そして、上記雌ねじ２０ｂをトレイ６の排水口７の外周に形成した雄ねじに螺合させることによって管継手２０をトレイ６の排水口７に固定する。なお、上記管継手２０はトレイ６の排水口７と一体にしてもよい。
【００１４】
この状態で、トレイ６の排水口７に汚水タンク１５を接続する際には、まず、汚水タンク１５の受け口１６の外周に雌ねじ付きのソケット２１を嵌合させ、この状態で脚２５内に収容するとともに、その受け口１６を上記排水口７の下方に位置させる。次いで上記ソケット２１を受け口１６から上方に突出させてその上部を上記管継手２０の第２雄ねじ２０ｄに螺合させる。２２はソケット２１の下部内周に取り付けたシールリングである。
【００１５】
次に、ペット用ケージ１が屋外に設置され、これの近傍に排水路が有る場合には、上記汚水タンク１５を省略し、代わりに図５に示すように、上記管継手２０の第１雄ねじ２０ｃにエルボ（排水管継手）２３を螺合させ、このエルボ２３に排水管（又は排水ホース）２４を接続し、該排水管２４の下流端を上記排水路に臨ませる。
【００１６】
前述したケージ本体２の背面側に保持ケース３０を介して給水タンク３５を着脱可能に係止する。上記保持ケース３０は格子状の金網により正面（図１において左面）側が開口した直方体状に形成し、正面側の上部桟及び下部桟の一部を下方に屈曲させてフック部３１，３２を形成し、該フック部３１，３２をケージ本体２の上下部の桟に上方から掛けるようにしてケージ本体２に着脱可能に係止する。
【００１７】
また、上記給水タンク３５は、前述した汚水タンク１５と略同構造となっている。即ち、図６、図７に示すようにプラスチックにより偏平な直方体状に形成するとともに、その広面側の上部及び狭面側の下部に受け口３６及び給水口３７を形成する。上記受け口３６及び給水口３７は内周に雌ねじを形成しておき、不使用時には栓３８，３９をねじ込んで塞ぐようにする。４０、４０は上記汚水タンク１５の上下部に形成した把手である。
【００１８】
上記給水タンク３５は以下の如くして使用される。即ち、図１に示すように、給水口３７にバルブ４２付きの給水管４１を接続し、バルブ４２を閉じた状態で給水タンク３５内に水を充填した後、受け口３６に栓３８を螺合させてこれを塞ぐ。次いで上記給水タンク３５を保持ケース３０に収容し、該保持ケース３０を介してケージ本体２の背面側に係止するとともに、上記給水管４１の下端（流出口）をケージ本体２内に収容した水入れ４３内に所定の高さ位置で嵌合させる。なお、上記保持ケース３０はケージ本体２の左右一方の側面に取り付けるようにしてもよい。
【００１９】
次いで上記バルブ４２を開いて給水タンク３５から水入れ４３に水（飲料水）を供給する。この場合、水入れ４３内の水が給水管４１の下端に到来した時点で給水タンク３５から水入れ４３への水の供給が自動的に停止されることになる。なお、上記バルブ４２は、水入れ４３内の水が所定量になった時点で閉じるようにしてもよい。
【００２０】
【発明の効果】
以上の説明から明らかな如く、本願の請求項１に係る発明は、水が収容可能なトレイの底部に排水栓によって開閉される排水口を設け、該排水口に汚水タンクを着脱可能に接続し、前記ケージ本体の外側部に給水タンクを設け、該給水タンクからケージ本体内に収容した水入れに水を供給するようにしたので、トレイ内に収容した水がペットの排泄物を受けてこれの臭いを消すことになり、該排泄物の臭いが周囲に放たれなくなる。また、排泄物によって汚染されたトレイ内の水は、排水栓を開くことによってトレイ直下の汚水タンクに収容され、該汚水タンクを介してトイレ等に廃棄することができ、排泄物の処理が衛生的にかつ容易にできる。
また、請求項２に係る発明は、前記汚水タンク及び給水タンクを共に略同じ構造としたので、タンクの種類が少なくなり、操作が容易になると共に生産性が高くなる。
また、請求項３に係る発明は、前記トレイの排水口に接続される管継手に、排水管及び汚水タンクの受け口嵌合用のソケットが螺合する第１雄ねじ、第２雄ねじを設けたので、該管継手を介してトレイの排水口に排水管、又は汚水タンクを適宜選択して接続することができ、これらの接続作業が容易となる。
【図面の簡単な説明】
【図１】図１は本発明の実施例を示す一部断面側面図である。
【図２】扉の下開き状態を示す部分断面側面図である。
【図３】扉の上開き状態を示す部分断面側面図である。
【図４】トレイと汚水タンクとの接続状態を示す要部拡大断面図である。
【図５】トレイと排水管との接続状態を示す要部拡大断面図である。
【図６】給水タンクの一部断面側面図である。
【図７】図６の一部断面左側面図である。
【符号の説明】
１　　ペット用ケージ
２　　ケージ本体
３　　底板
４　　扉
４ａ　上部フック
４ｂ　下部フック
４ｃ　上部桟
６　　トレイ
６ａ　フランジ部
７　　排水口
８　　排水栓
９　　操作杆
１０　　差込み口
１５　　汚水タンク
１６　　受け口
１７　　給水口
２０　　管継手
２０ａ　環状主体
２０ｂ　雌ねじ
２０ｃ　第１雄ねじ
２０ｄ　第２雄ねじ
２１　　ソケット
２２　　シールリング
２３　　エルボ（排水管継手）
２４　　排水管（ホース）
２５　　脚
２６　　ストッパー
３０　　保持ケース
３１，３２　　フック部
３５　　給水タンク
３６　　受け口
３７　　給水口
３８，３９　　栓
４０　　把手
４１　　給水管
４２　　バルブ
４３　　水入れ
【図１】
2004033071.tif 000003
【図２】
2004033071.tif 000004
【図３】
2004033071.tif 000005
【図４】
2004033071.tif 000006
【図５】
2004033071.tif 000007
【図６】
2004033071.tif 000008
【図７】
2004033071.tif 000009